(57)【要約】【課題】  音導通路が耳垢で塞がり難く、且つ耳垢除去が容易にできる耳管機能検査用プローブを提供する。【解決手段】  耳管機能検査を行うために外耳道に挿入する耳管機能検査用プローブであって、先端に耳せん１を装着した両端開口の第１筒体２と、この第１筒体２内に空隙３を形成して挿入した両端開口の第２筒体４と、この第２筒体４が当接すると共にマイクロホン５とイヤホン６を装着した基台７を備え、空隙３がイヤホン６から出力される音圧の通路またはマイクロホン５への音圧の通路となり、第２筒体４がマイクロホン５への音圧の通路またはイヤホン６から出力される音圧の通路となる。【選択図】        図１
2006345903.tif 000002
【特許請求の範囲】
【請求項１】
耳管機能検査を行うために外耳道に挿入する耳管機能検査用プローブであって、先端に耳せんを装着した両端開口の第１筒体と、この第１筒体内に空隙を形成して挿入した両端開口の第２筒体と、この第２筒体が当接すると共にマイクロホンとイヤホンを装着した基台を備え、前記空隙がイヤホンから出力される音圧の通路またはマイクロホンへの音圧の通路となり、前記第２筒体がマイクロホンへの音圧の通路またはイヤホンから出力される音圧の通路となることを特徴とする耳管機能検査用プローブ。
【請求項２】
前記第２筒体の一端に鍔部を形成し、この鍔部が前記第１筒体により前記基台に押圧され、前記第２筒体が前記基台に形成されたマイクロホン音口またはイヤホン音口と連通する請求項１記載の耳管機能検査用プローブ。
【発明の詳細な説明】
【技術分野】
【０００１】
本発明は、耳管機能検査における音響法検査又はインピーダンス法検査に用いる耳管機能検査用プローブに関する。
【背景技術】
【０００２】
耳管機能検査における音響法検査又はインピーダンス法検査に用いる耳管機能検査用プローブとしては、図５に示すように、マイクロホンへの音圧の通路やイヤホンから出力される音圧の通路などの音導通路１００，１０１が、並列に束ねられているものが知られている（例えば、特許文献１参照）。
【０００３】
【特許文献１】特許２８２７０６５号公報（第１０頁、図２）
【発明の開示】
【発明が解決しようとする課題】
【０００４】
耳管機能検査用プローブの先端は、外耳道に挿入して使用するので、外耳道内壁を擦り、プローブ先端の耳せん開口部に耳垢を付着し易い。特に、特許文献１に記載のように、並列に束ねられた音導通路１００，１０１の場合は、図５に示すように、耳せん開口部の内壁に接している音導通路１０１が耳垢１０２で塞がり易い。音導通路１０１が耳垢１０２で塞がれてしまうと、検査に支障をきたすという問題がある。
【０００５】
また、耳管機能検査用プローブは、外耳道に挿入して使用するため、耳せん開口部の大きさには制限がある。特に、特許文献１に記載のように、音導通路１００，１０１が並列に束ねられた構成（筒体並列構造）の場合には、マイクロホン及びイヤホンの音口位置の制約で、直線的に構成することはできない。音導通路１００，１０１が耳垢１０２で塞がれてしまうと、一般にクリーニングワイヤーや洗浄により耳垢除去がなされているが、耳垢除去や除去後の残留耳垢確認が容易ではない。
【０００６】
本発明は、従来の技術が有するこのような問題点に鑑みてなされたものであり、その目的とするところは、音導通路が耳垢で塞がり難く、且つ耳垢除去が容易にできる耳管機能検査用プローブを提供しようとするものである。
【課題を解決するための手段】
【０００７】
上記課題を解決すべく請求項１に係る発明は、耳管機能検査を行うために外耳道に挿入する耳管機能検査用プローブであって、先端に耳せんを装着した両端開口の第１筒体と、この第１筒体内に空隙を形成して挿入した両端開口の第２筒体と、この第２筒体が当接すると共にマイクロホンとイヤホンを装着した基台を備え、前記空隙がイヤホンから出力される音圧の通路またはマイクロホンへの音圧の通路となり、前記第２筒体がマイクロホンへの音圧の通路またはイヤホンから出力される音圧の通路となるものである。
【０００８】
請求項２に係る発明は、請求項１記載の耳管機能検査用プローブにおいて、前記第２筒体の一端に鍔部を形成し、この鍔部が前記第１筒体により前記基台に押圧され、前記第２筒体が前記基台に形成されたマイクロホン音口またはイヤホン音口と連通するようにした。
【発明の効果】
【０００９】
請求項１に係る発明によれば、第１筒体内に空隙を形成して第２筒体を挿入し、筒体を二重構造にしたことにより、各筒体によって形成される音導通路が耳垢で塞がれ難くなる。また、筒体を二重構造にしたことにより、各音導通路の断面積を、従来の並列構造に比べて大きくすることが可能になるので、音響インピーダンスが低下し、微細な音圧変化の観察にとって有利になる。
更に、音響法検査とインピーダンス法検査の兼用に限定したため、小型化が可能になり、耳介に接触して擦れ音などでＳ／Ｎ比が低下するのを防止することができる。また、ヘッドバンドなど補助具が不要なので、操作性に優れる。そして、構成要素が少なく、シンプルな筒体構造なので、引物製作が可能であり、金型が不要で少量生産に対する低コスト化が可能となる。
【００１０】
請求項２に係る発明によれば、第１筒体と基台で第２筒体を挟んで固定するため、第１筒体を取り外すだけで第２筒体を容易に取り外すことができると共に構造が直線的で簡易であるので、第１筒体及び第２筒体に付着した耳垢の除去や除去後の残留耳垢確認が容易である。
【発明を実施するための最良の形態】
【００１１】
以下に本発明の実施の形態を添付図面に基づいて説明する。ここで、図１は本発明に係る耳管機能検査用プローブの断面図、図２は第２筒体と基台の分解斜視図、図３は筒体二重構造の概要断面図、図４は筒体二重構造の作用説明図である。
【００１２】
本発明に係る耳管機能検査用プローブは、図１に示すように、先端に耳せん１を装着した両端開口の第１筒体２と、第１筒体２内に空隙３を形成して挿入した両端開口の第２筒体４と、マイクロホン５とイヤホン６を装着した基台７と、マイクロホン５とイヤホン６を装着した基台７を収納するケース８からなる。なお、９はケーブルである。
【００１３】
第１筒体２は、略円錐形状をなし、先端には耳せん１を装着する装着部１０が形成され、後端の内周面にはケース８の外周面に刻設した雄ねじ（不図示）に螺合する雌ねじ（不図示）が刻設されている。第２筒体４は、図２に示すように、円筒部１３と、円筒部１３の一端に形成された鍔部１４からなり、円筒部１３内と鍔部１４を貫く貫通孔１５が設けられている。鍔部１４は、円板の一部を欠いた略円板形状をしている。また、第１筒体２の後端には、基台７及び鍔部１４と当接する押圧部１６が形成されている。
【００１４】
基台７は、略円板形状をなす弾性部材からなり、中心部にマイクロホン音口１７が、縁部近傍にイヤホン音口１８が夫々貫通孔として形成されている。基台７の一面には鍔部１４と合体する段部１９が形成され、他面にはマイクロホン音口１７と連通するマイクロホン５及びイヤホン音口１８と連通するイヤホン６が装着されている。
【００１５】
なお、マイクロホン５とイヤホン６の装着位置を入れ替えて、第２筒体４の貫通孔１５をイヤホン６の音導通路とし、空隙３をマイクロホン５の音導通路としても構わない。基台７は、マイクロホン５とイヤホン６をケース８に収納するように、有底円筒形のケース８の開口部に嵌合されている。
【００１６】
以上のように構成した本発明に係る耳管機能検査用プローブの作用について説明する。耳管機能検査用プローブを組み立てるには、先ずケース８の開口部に嵌合した基台７の段部１９に、第２筒体４の鍔部１４をセットする。この状態で、第２筒体４の貫通孔１５と基台７のマイクロホン音口１７は連通状態になり、外耳道からマイクロホン５に至る音導通路が形成される。
【００１７】
次いで、第１筒体２に第２筒体４の円筒部１３を挿入し、第１筒体２の雌ねじをケース８の雄ねじに螺合させる。この時、第１筒体２の押圧部１６が、基台７及び鍔部１４に所定の圧力で当接するまで螺合させる。すると、第２筒体４が第１筒体２と基台７により挟まれて固定され、第１筒体２と第２筒体４で形成される空隙３と基台７のイヤホン音口１８は連通状態になり、イヤホン６から外耳道に至る音導通路が形成される。基台７は弾性部材からなるので、音響的な密閉度を上げることができる。
【００１８】
そして、第１筒体２と第２筒体４は、図３及び図４に示すように、同心の二重構造の筒体２，４を形成する。このように二重構造の筒体２，４を形成することにより、従来の並列構造に比べて音導通路を形成する筒体２，４の開口が耳垢２０で塞がれ難くなる。また、筒体２，４による二重構造にしたことにより、各音導通路の断面積を、従来の並列構造に比べて大きくすることが可能になり、音響インピーダンスが低下し、微細な音圧変化の検出にとって有利になる。
【００１９】
更に、第１筒体２の先端に耳せん１を装着すれば、耳管機能検査用プローブは完成する。ここで、マイクロホン５とイヤホン６を両方とも用いれば、インピーダンス法検査用プローブになり、マイクロホン５のみ用いれば、音響法検査用プローブになる。このように音響法検査とインピーダンス法検査の兼用に限定したため、小型化が可能になり、耳介に接触して擦れ音などでＳ／Ｎ比が低下するのを防止することができる。また、小型化により、ヘッドバンドなどの補助具が不要になり、操作性に優れる。
【００２０】
また、第１筒体２の雌ねじ１２をケース８の雄ねじ１１に螺合することにより、第２筒体４が第１筒体２と基台７に挟まれて固定されるので、第１筒体２をケース８から取り外せば、容易に第１筒体２と第２筒体４を分解することができる。従って、使用により筒体２，４の開口が耳垢２０で塞がれたとしても、第１筒体２及び第２筒体４に付着した耳垢２０の除去や除去後の残留耳垢確認が容易に行える。
【００２１】
また、空隙３が外界と通じるベント（不図示）を第１筒体２又は基台７に設けておけば、耳管機能検査用プローブを外耳道に挿入及び抜出す際に過大な圧力変化を起こすことがなくなるので、装着者の不快感を低減することができる。
【産業上の利用可能性】
【００２２】
筒体の二重構造により、各筒体によって形成される音導通路が耳垢で塞がれ難くなり、また音響法検査とインピーダンス法検査の兼用に限定したため小型化が可能になり、ヘッドバンドなどの補助具が不要で操作性に優れる耳管機能検査用プローブを構成することができる。更に、構成要素が少なく、シンプルな筒体の二重構造なので、引物製作が可能で金型が不要になり、少量生産に適し、低コスト化が可能になる。
【図面の簡単な説明】
【００２３】
【図１】本発明に係る耳管機能検査用プローブの断面図
【図２】第２筒体と基台の分解斜視図
【図３】筒体二重構造の概要断面図
【図４】筒体二重構造の作用説明図
【図５】従来の筒体並列構造の作用説明図
【符号の説明】
【００２４】
１…耳せん、２…第１筒体、３…空隙、４…第２筒体、５…マイクロホン、６…イヤホン、７…基台、８…ケース、１４…鍔部、１５…貫通孔、１７…マイクロホン音口、１８…イヤホン音口、１９…段部。
【図１】
2006345903.tif 000003
【図２】
2006345903.tif 000004
【図３】
2006345903.tif 000005
【図４】
2006345903.tif 000006
【図５】
2006345903.tif 000007